(57)【要約】【課題】照明装置の光出力調整を容易にできる照明制御システムを提供する。【解決手段】照明装置12の近傍位置に、照明装置12の光出力調整機能を特定する情報および固有の情報を含む識別情報表示部を配置する。携帯形操作端末17のカメラで照明装置12の識別情報表示部13を撮影し、映像をモニタに表示する。携帯形操作端末17では、カメラで撮影する識別情報表示部13を認識し、対応する照明装置12の光出力調整機能を判別する。モニタには、識別した光出力調整機能に応じた光出力調整入力部を表示させ、光出力調整入力部からの光出力調整の入力を受け付ける。携帯形操作端末17からは、識別情報表示部13の固有の情報および光出力調整の情報を含む光出力調整信号を制御装置16に送信する。制御装置16では、携帯形操作端末17からの光出力調整信号を受信し、照明装置12の光出力を調整する。【選択図】図１
2010153137.tif 000002
【特許請求の範囲】
【請求項１】
照明空間に配置された光出力調整機能を有する複数の照明装置と；
光出力調整信号を入力して複数の照明装置の光出力を調整させる制御装置と；
照明装置に対応して配置され、照明装置の光出力調整機能を特定する情報および固有の情報が含まれている識別情報表示部と；
照明装置に対応する識別情報表示部を撮影可能とするカメラ、カメラで撮影する映像を表示するモニタ、照明装置の光出力調整を操作する操作部、制御装置に対して光出力調整信号を送信する通信部、カメラによって撮影される識別情報表示部を認識して対応する照明装置の光出力調整機能を判別するとともに操作部による光出力調整操作を受け付けて通信部から光出力調整信号を送信させる制御部を有する携帯形操作端末と；
を具備していることを特徴とする照明制御システム。
【請求項２】
制御部は、カメラで撮影する映像を表示するモニタに、認識した識別情報表示部に対応して照明装置の光出力調整機能部を重ねて表示させる
ことを特徴とする請求項１に記載の照明制御システム。
【請求項３】
モニタは、操作部を兼用するタッチパネルであり、
制御部は、モニタに、光出力調整機能部として光出力調整入力部を表示させ、光出力調整入力部からの光出力調整の入力を受け付ける
ことを特徴とする請求項２に記載の照明制御システム。
【請求項４】
携帯形操作端末は、認識した識別情報表示部の情報と調整した照明装置の光出力調整の情報とを対応付けて記憶する記憶部を有している
ことを特徴とする請求項１ないし３いずれか一に記載の照明制御システム。
【発明の詳細な説明】
【技術分野】
【０００１】
本発明は、照明空間に配置された複数の照明装置を制御する照明制御システムに関する。
【背景技術】
【０００２】
従来、例えば、ホール、体育館、舞台、ステージなどの照明空間には多くの照明装置が設置されている。これら多くの照明装置を制御するために、各照明装置が接続された調光器、この調光器を制御する制御装置、および制御装置を通じて照明装置を操作する操作盤で構成された照明制御システムが用いられている。
【０００３】
このような照明制御システムの操作盤は、照明空間の壁面や、照明空間とは別の部屋などに設置された据え置き形であるのが一般であった（例えば、特許文献１参照。）。
【０００４】
また、携帯可能なリモコンによって照明装置を遠隔操作可能としたものもあり、リモコンで多くの照明装置の中から操作したい任意の照明装置を選択して操作するようにしている。
【特許文献１】特開２０００−１００５８４号公報（第４−５頁、図１−３）
【発明の開示】
【発明が解決しようとする課題】
【０００５】
しかしながら、従来の照明制御システムでは、ある照明場所での照明効果を設定する場合、その照明場所を照明する照明装置を操作者が把握し、操作者が操作盤で照明装置を選択して操作しなければならず、照明の設定に手間がかかる問題がある。
【０００６】
しかも、一般に操作盤は据え置き形であるため、操作盤を操作する操作者にとって、実際の照明場所での照明効果を確認しながら照明装置を操作することは難しい。そのため、実際の照明場所での照明効果を確認者が確認して操作盤側の操作者に伝えながら、操作者が照明装置を選択して操作する必要があり、照明の設定に手間がかかる問題がある。
【０００７】
また、携帯可能なリモコンによる遠隔操作では、実際の照明場所で照明効果を確認しながら照明装置を操作できるものの、複数の照明装置の中から、その照明場所を照明する照明装置を例えば配置図などから把握し、照明装置を選択して操作する必要があり、照明の設定に手間がかかる問題がある。
【０００８】
本発明は、このような点に鑑みなされたもので、照明装置の光出力調整を容易にできる照明制御システムを提供することを目的とする。
【課題を解決するための手段】
【０００９】
請求項１に記載の照明制御システムは、照明空間に配置された光出力調整機能を有する複数の照明装置と；光出力調整信号を入力して複数の照明装置の光出力を調整させる制御装置と；照明装置に対応して配置され、照明装置の光出力調整機能を特定する情報および固有の情報が含まれている識別情報表示部と；照明装置に対応する識別情報表示部を撮影可能とするカメラ、カメラで撮影する映像を表示するモニタ、照明装置の光出力調整を操作する操作部、制御装置に対して光出力調整信号を送信する通信部、カメラによって撮影される識別情報表示部を認識して対応する照明装置の光出力調整機能を判別するとともに操作部による光出力調整操作を受け付けて通信部から光出力調整信号を送信させる制御部を有する携帯形操作端末と；を具備しているものである。
【００１０】
照明空間は、例えば、ホール、体育館、舞台、ステージなどの屋内のほか、屋外など、いずれでも構わない。
【００１１】
照明装置は、例えば、光源、この光源を配置する器具本体、および光源を点灯させる点灯ユニットなどを備えている。光源としては、例えば、ランプやＬＥＤなど、いずれでも構わない。点灯ユニットでは、制御装置から信号を入力することにより、ランプやＬＥＤなどの点灯、消灯、明るさの調光をしたり、ＲＧＢのＬＥＤを用いる場合にはカラー調整を可能とする。したがって、照明装置の光出力調整機能には、点灯、消灯、調光、カラーなど調整機能が含まれる。
【００１２】
制御装置は、例えば、電波や赤外線による無線あるいは有線などにより、携帯形操作端末からの光出力調整信号を受信し、照明装置を制御する。また、例えば、ＬＡＮなどのネットワークに接続し、携帯形操作端末からの光出力調整信号を受信してもよい。光出力調整信号には識別情報表示部に含まれる固有の情報が含まれることにより、識別情報表示部と照明装置との対応を関連付けることが可能であり、この関連付けは最初に１回だけ行えばよい。また、制御装置は、壁面などに設置された操作盤でも操作可能としてもよい。
【００１３】
識別情報表示部は、例えば、バーコード、二次元コード、文字、絵柄など、情報を含めることができれば、いずれでも構わない。表示する媒体もシールやパネルなど、いずれでも構わない。識別情報表示部の配置は、照明装置の近傍、照明装置自体など、照明装置との対応関係がわかる位置であれば、いずれでも構わない。
【００１４】
携帯形操作端末は、据え置き形ではなく、自由に持ち運び可能で、例えば、バッテリを電源とする端末であって、ノートパソコン、ＰＤＡ、携帯電話など、カメラ機能および通信機能を有していれば、いずれでも構わない。また、カメラは、携帯形操作端末に一体に組み込まれたものでも、携帯形操作端末とは別体でケーブルなどにより携帯形操作端末に接続されたものなど、いずれでも構わない。また、モニタは、液晶ディスプレイなど、いずれでも構わない。また、通信部は、例えば、ＬＡＮなどのネットワークに接続し、電波や赤外線による無線あるいは有線などにより、制御装置に光出力調整信号を送信する。また、操作部は、キーやボタン、あるいはモニタのタッチパネルなど、いずれでも構わない。また、制御部は、カメラによって撮影される識別情報表示部を認識する機能、この認識によって照明装置の光出力調整機能を判別する機能、判別した光出力調整機能に応じて操作部による光出力調整操作を受け付ける機能、受け付けた操作に応じた光出力調整信号を通信部から送信する機能などを有している。通信部から送信する光出力調整信号には、識別情報表示部に含まれる固有の情報が含まれることにより、制御装置において、その固有の情報から照明装置を特定することが可能となる。
【００１５】
請求項２に記載の照明制御システムは、請求項１に記載の照明制御システムにおいて、制御部は、カメラで撮影する映像を表示するモニタに、認識した識別情報表示部に対応して照明装置の光出力調整機能部を重ねて表示させるものである。
【００１６】
光出力調整機能部としては、例えば、調光機能であれば、調光レベルを表示したり、また、カラー調整機能であれば、ＲＧＢレベルを表示するなど、いずれでも構わない。この光出力調整機能部は、調光レベルやＲＧＢレベルの表示のみでもよく、表示のみであれば操作部のキーやボタンなどでそれらレベルを入力すればよい。
【００１７】
請求項３に記載の照明制御システムは、請求項２に記載の照明制御システムにおいて、モニタは、操作部を兼用するタッチパネルであり、制御部は、モニタに、光出力調整機能部として光出力調整入力部を表示させ、光出力調整入力部からの光出力調整の入力を受け付けるものである。
【００１８】
光出力調整入力部では、例えば、モニタに表示された調光レベルやＲＧＢレベルを、タッチパネルに指やペンで触れて調整可能となる。
【００１９】
請求項４に記載の照明制御システムは、請求項１ないし３いずれか一に記載の照明制御システムにおいて、携帯形操作端末は、認識した識別情報表示部の情報と調整した照明装置の光出力調整の情報とを対応付けて記憶する記憶部を有しているものである。
【発明の効果】
【００２０】
請求項１に記載の照明制御システムによれば、予め照明装置に対応して配置している識別情報表示部を携帯形操作端末のカメラで撮影すれば、携帯形操作端末が、識別情報表示部を認識して対応する照明装置の光出力調整機能を判別するとともに、操作部による光出力調整操作を受け付けて光出力調整信号を制御装置に対して送信することにより、対応する照明装置の光出力を調整できるため、操作する照明器具を容易に選択でき、実際の照明場所での照明効果を確認しながら照明装置を操作でき、照明の設定を容易にできる。
【００２１】
請求項２に記載の照明制御システムによれば、請求項１に記載の照明制御システムの効果に加えて、カメラで撮影する映像を表示するモニタに、認識した識別情報表示部に対応して照明装置の光出力調整機能部を表示することにより、光出力調整可能な機能を操作者が把握でき、光出力調整の操作を容易にできる。
【００２２】
請求項３に記載の照明制御システムによれば、請求項２に記載の照明制御システムの効果に加えて、操作部を兼用するタッチパネルで構成されるモニタに、光出力調整機能部として光出力調整入力部を表示することにより、光出力調整の操作を容易にできる。
【００２３】
請求項４に記載の照明制御システムによれば、請求項１ないし３いずれか一に記載の照明制御システムの効果に加えて、携帯形操作端末に、認識した識別情報表示部の情報と調整した照明装置の光出力調整とを対応付けて記憶するため、カメラで撮影された識別情報表示部を認識したときに対応する照明装置の現在の光出力調整状況を把握でき、照明装置の光出力調整を容易にできる。
【発明を実施するための最良の形態】
【００２４】
以下、本発明の一実施の形態を図面を参照して説明する。
【００２５】
図１は照明制御システムの説明図、図２は照明制御システムに適用する携帯形操作端末のブロック図、図３は携帯形操作端末のモニタに表示した表示例を示す説明図である。
【００２６】
図１において、11は照明空間で、例えば、ホール、体育館、舞台、ステージなどの屋内空間の例を示す。
【００２７】
この照明空間11の天井面に複数の照明装置12が設置されている。照明装置12には、図示していないが、例えば、ランプやＬＥＤなどの光源、光源の点灯、消灯、明るさ調光したり光源としてＲＧＢのＬＥＤを用いている場合にはカラー調整する点灯ユニット、この点灯ユニットを制御する制御部を有している。制御部は、通信機能を有するとともに固有のアドレスを有しており、この固有のアドレスとともに送信されてくる調光信号やＲＧＢ信号などを含む制御信号を入力して点灯ユニットを制御する。したがって、照明装置12の光出力調整機能には、点灯、消灯、明るさの調光、カラー調整など調整機能が含まれている。
【００２８】
各照明装置12の近傍位置の天井面、あるいは各照明装置12自体など、各照明装置12に対応して識別情報表示部13が配置されている。この識別情報表示部13は、例えば、シールやパネルなどに、バーコード、二次元コード、文字、絵柄などの情報を含める可能な表示が描かれており、照明装置12に対応した調光やカラー調整などの光出力調整機能を特定する情報、および識別情報表示部13を特定する識別情報表示部13毎の固有の情報が含まれている。
【００２９】
そして、照明制御システムは、複数の照明装置12、各照明装置12に対応して配置された識別情報表示部13、例えば無線ＬＡＮや有線ＬＡＮなどのネットワーク14を構築するネットワーク機器15、ネットワーク14に接続され複数の照明装置12の光出力調整を制御する制御装置16、ネットワーク14を介して制御装置16と通信し各照明装置12の光出力調整を設定する携帯形操作端末17を備え、さらに、必要に応じて、壁面などに設置され照明パターンなどを設定する操作盤18を備えている。
【００３０】
ネットワーク機器15は、電波や赤外線などの無線あるいは有線で携帯形操作端末17からの光出力調整信号を受信する受信器の機能を一体または別体に備えている。
【００３１】
また、制御装置16は、各照明装置12と信号線や電力線通信などの有線あるいは無線により通信可能としており、ネットワーク14を通じて携帯形操作端末17から送信されてくる照明装置12を特定する情報である識別情報表示部13の固有の情報および調光レベル信号やＲＧＢレベル信号などを含む光出力調整信号を入力し、該当する照明装置12の固有のアドレスとともに調光信号やＲＧＢ信号などを含む制御信号を照明装置12に送信し、該当する照明装置12の光出力を調整させる機能を有している。この制御装置16には、設定により、各照明装置12の位置と、各照明装置12の固有のアドレスと、各識別情報表示部13の固有の情報とが、関連付けられて登録されている。
【００３２】
また、携帯形操作端末17は、据え置き形ではなく、自由に持ち運び可能で、バッテリを電源として動作する端末であり、ノートパソコン、ＰＤＡ、携帯電話など、カメラ機能および通信機能を有していればよい。
【００３３】
携帯形操作端末17は、図２に示すように、各照明装置12に対応する識別情報表示部13を撮影可能とするカメラ21、このカメラ21で撮影する映像を表示するモニタ22、照明装置12の光出力調整を操作する操作部23、制御装置16に対してネットワーク14を介して光出力調整信号を送信する通信部24、各種情報を記憶する記憶部25、カメラ21によって撮影される識別情報表示部13を認識して対応する照明装置12の光出力調整機能を判別するとともに操作部23による光出力調整操作を受け付けて通信部24から光出力調整信号を送信させる制御部26を有している。
【００３４】
カメラ21は、携帯形操作端末17に一体に組み込まれたものでも、携帯形操作端末17とは別体でケーブルなどにより携帯形操作端末17に接続されたものでもよい。また、カメラ21は、識別情報表示部13を明瞭に撮影するために必要な画素数を有している。
【００３５】
モニタ22は、液晶ディスプレイなどの表示機器で構成されている。
【００３６】
通信部24は、電波や赤外線による無線あるいは有線などによりネットワーク14に接続し、制御装置16に光出力調整信号を送信する。光出力調整信号には、識別情報表示部13の固有の情報および調光レベル信号やＲＧＢレベル信号などが含まれる。また、通信部24は、制御装置16からネットワーク14を介して送信されてくる情報を受信するようにしてもよい。
【００３７】
操作部23は、携帯形操作端末17のキーやボタン、あるいはモニタ22の表面に設けたタッチパネルなどのいずれでも構わないが、直感的に操作しやすいタッチパネルが好ましい。
【００３８】
制御部26は、カメラ21によって撮影される識別情報表示部13を認識する機能、この認識によって照明装置12の光出力調整機能を判別する機能、判別した光出力調整機能に応じて操作部23による光出力調整操作を受け付ける機能、受け付けた操作に応じた光出力調整信号を通信部24から送信する機能などを有している。より具体的には、図３に示すように、カメラ21で撮影する映像を表示するモニタ22に、認識した識別情報表示部13に対応して照明装置12の光出力調整機能部27を重ねて表示させる機能、モニタ22に光出力調整機能部27として操作部23でもある光出力調整入力部28を表示させ、この光出力調整入力部28からの光出力調整の入力を受け付ける機能を有している。光出力調整入力部28としては、調光が可能な照明装置12であれば調光レベルを表示する光出力調整入力部28aとし、カラー調整可能な照明装置12であればＲＧＢレベルを表示する光出力調整入力部28bとする。
【００３９】
制御部26により通信部24から送信する光出力調整信号には、調光レベル信号やＲＧＢレベル信号などとともに、識別情報表示部13の固有の情報が含まれており、制御装置16においてその固有の情報から照明装置12を特定することが可能となる。
【００４０】
また、操作盤18は、複数の照明装置12を一括して制御するような照明パターンを入力し、登録可能とし、さらに、登録した照明パターンを選択指定し、制御装置16によって再生させるように構成されている。
【００４１】
次に、照明制御システムの動作について説明する。
【００４２】
まず、照明制御システムの設置後には、設置後の最初の１回だけ、制御装置16に対して、各照明装置12の位置と、各照明装置12の固有のアドレスと、各識別情報表示部13の固有の情報との関連付けを設定登録する。
【００４３】
この設定登録の作業では、操作者が携帯形操作端末17のカメラ21により、設定を行おうとする照明装置12の識別情報表示部13を撮影し、その識別情報表示部13の映像をモニタ22に表示させる。この状態で、自動的または操作部23の操作に応じて、制御部26が識別情報表示部13を認識し、この認識によって照明装置12の光出力調整機能および識別情報表示部13の固有の情報を判別する。判別できたら、例えば配置図などから照明装置12の位置情報を操作部23で入力する。そして、これら各識別情報表示部13の固有の情報、および照明装置12の位置情報を含む信号を、通信部24からネットワーク14を通じて制御装置16に送信する。
【００４４】
制御装置16では、ネットワーク14を通じて携帯形操作端末17から送信されてくる信号を受信する。この制御装置16には、各照明装置12の位置と各照明装置12の固有のアドレスとが予め関連付けて設定登録されているため、既に設定されている照明装置12の位置情報と送信されてきた照明装置12の位置情報とを照合し、一致すれば、制御装置16に予め登録されている各照明装置12の位置と各照明装置12の固有のアドレスとに加えて、識別情報表示部13の固有の情報を関連付けて設定登録する。
【００４５】
このように、各照明装置12について、設置後の最初の１回だけ、制御装置16に対して、各照明装置12の位置と、各照明装置12の固有のアドレスと、各識別情報表示部13の固有の情報との関連付けを設定登録する。
【００４６】
次に、関連付けの設定登録後において、照明装置12の光出力調整作業について説明する。
【００４７】
照明装置12の光出力調整作業では、操作者が携帯形操作端末17のカメラ21により、設定を行おうとする１つまたは複数の照明装置12の識別情報表示部13を撮影し、その映像をモニタ22に表示させる。図３には、２つの照明装置12の識別情報表示部13を撮影し、その映像をモニタ22に表示させた状態を示す。
【００４８】
この状態で、自動的または操作部23の操作に応じて、制御部26が識別情報表示部13を認識し、この認識によって照明装置12の光出力調整機能および識別情報表示部13の固有の情報を判別する。
【００４９】
判別できたら、認識した識別情報表示部13に対応して、照明装置12の光出力調整機能部27を重ねて表示させるとともに、この光出力調整機能部27として光出力調整入力部28を表示させる。調光が可能な照明装置12であれば、調光用の光出力調整入力部28aで調光レベルを表示させ、また、カラー調整可能な照明装置12であれば、カラー調整用の光出力調整入力部28bでＲＧＢレベルを表示させる。
【００５０】
操作者が指やペンでモニタ22の光出力調整入力部28にタッチし、光出力調整を操作する。例えば、調光用の光出力調整入力部28aであれば、調光レベルの操作部分を上下方向にスライドさせて調光レベルを調整し、また、カラー調整用の光出力調整入力部28bであれば、Ｒ、Ｇ、Ｂの各レベルを大きくしたり小さくしてカラー調整する。
【００５１】
操作した調整した調光レベルやＲＧＢレベルの情報は、識別情報表示部13の固有の情報を含む光出力調整信号として、通信部24からネットワーク14を通じて制御装置16に送信する。
【００５２】
制御装置16では、ネットワーク14を通じて携帯形操作端末17から送信されてくる光出力調整信号を受信する。この制御装置16には、各照明装置12の位置と各照明装置12の固有のアドレスと識別情報表示部13の固有の情報とが予め関連付けて設定登録されているため、既に設定されている識別情報表示部13の固有の情報と送信されてきた識別情報表示部13の固有の情報とを照合し、一致した照明装置12に対して、その照明装置12の固有のアドレスとともに調光レベル信号やＲＧＢレベル信号を含む制御信号を送信する。
【００５３】
照明装置12では、該当するアドレスの制御信号を受信し、調光レベルやＲＧＢレベルなどの光出力を調整する。
【００５４】
この照明装置12の光出力の調整は、実際の照明場所での照明効果を確認しながら、携帯形操作端末17の操作に対して略リアルタイムで行われ、照明装置12の光出力調整を容易にできる。
【００５５】
なお、操作者が携帯形操作端末17のカメラ21により、照明装置12の識別情報表示部13を撮影し、識別情報表示部13を認識してモニタ22に光出力調整入力部28を表示すれば、自動的または操作部23の操作に応じて、モニタ22の映像を一時的に保持し、光出力調整入力部28のみ入力操作可能としてもよい。これにより、例えば、カメラ21とモニタ22とが携帯形操作端末17の反対面に配置されていて、カメラ21で天井面に設置されている識別情報表示部13を下方から撮影しようとするとモニタ22が下向きとなり、この状態のままでは入力操作しにくい場合があるが、モニタ22の映像を一時的に保持することにより、モニタ22を上向きにするなどの入力操作しやすい姿勢とすることができ、光出力調整を容易に操作できる。
【００５６】
また、操作盤18によって、複数の照明装置12を一括して制御するような照明パターンを入力し、登録可能とし、さらに、登録した照明パターンを選択指定し、制御装置16によって再生させることができる。このとき、照明パターンの各照明装置12の光出力調整は形態形操作端末17で容易にできる。
【００５７】
また、携帯形操作端末17の記憶部25に、認識した識別情報表示部13の情報と調整した照明装置12の光出力調整の情報とを対応付けて記憶するようにしてもよい。これにより、カメラ21で撮影された識別情報表示部13を認識したときに、対応する照明装置12の現在の光出力調整状況をモニタ22に表示することができ、照明装置12の現在の光出力調整状況を把握でき、照明装置12の光出力調整を容易にできる。
【図面の簡単な説明】
【００５８】
【図１】本発明の一実施の形態を示す照明制御システムの説明図である。
【図２】同上照明制御システムに適用する携帯形操作端末のブロック図である。
【図３】同上携帯形操作端末のモニタに表示した表示例を示す説明図である。
【符号の説明】
【００５９】
11    照明空間
12    照明装置
13    識別情報表示部
16    制御装置
17    携帯形操作端末
21    カメラ
22    モニタ
23    操作部
24    通信部
25    記憶部
26    制御部
27    光出力調整機能部
28    光出力調整入力部
【図１】
2010153137.tif 000003
【図２】
2010153137.tif 000004
【図３】
2010153137.tif 000005